(57)【要約】      （修正有）【課題】遠距離への放水を可能とし、放水反動が少なく、ストレート放水においても格段に広範囲に対して放水が可能となる放水用ノズルを提供する。【解決手段】給水側に単一で大径の連結空部４を設ける。放水側に複数で小径の分岐貫通孔５を水流通過面積の合計が給水ホース側の水流通過面積より小さく形成して設ける。分岐貫通孔と連結空部の間に連結空部より大径の溜め部屋６が形成された取付体２と、複数の整流パイプを組み込んだ分岐パイプの先端に分岐貫通孔とほぼ同径か小径の放水口が形成された噴射ノズル１１が連結された放水ノズル３で構成する。複数の分岐貫通孔の放水側に、対応する複数の放水ノズルを連結した。【選択図】図２
2013252215.tif 000002
【特許請求の範囲】
【請求項１】
給水側に給水ホースの連結具に連結される単一で大径の連結空部が設けられ、
放水側に複数で小径の分岐貫通孔が、複数の分岐貫通孔の水流通過面積の合計が前記給水ホース側の水流通過面積より小さく形成されて設けられ、
前記分岐貫通孔と前記連結空部の間に該連結空部より大径の溜め部屋が形成された取付体と、
複数の整流パイプからなる整流器を組み込んだ分岐パイプの先端に前記分岐貫通孔の径とほぼ同径かもしくはそれより小径の放水口が形成された噴射ノズルが連結された放水ノズルで構成され、
前記取付体における複数の分岐貫通孔の放水側に、対応する複数の放水ノズルを連結したことを特徴とする放水用ノズル装置。
【請求項２】
上記複数の放水ノズルが、中央の１個の放水ノズルを中心に、周囲へ均等に5個の放水ノズルを配置して設けられると共に、前記中央の放水ノズルを中心に、前記周囲の5個の放水ノズルが放水側に向かって開く角度をもって配置されたものである請求項１記載の放水用ノズル装置。
【請求項３】
上記複数の放水ノズルが、中央の１個の放水ノズルを中心に、周囲へ均等に８個の放水ノズルを配置して設けられると共に、前記中央の放水ノズルを中心に、前記周囲の８個の放水ノズルが放水側に向かって開く角度をもって配置されたものである請求項１記載の放水用ノズル装置。
【請求項４】
上記給水ホースの連結具と上記取付体の連結空部の間に、供給水流の水圧で放水方向を軸として回転する回転羽根を有する回転体と該回転羽根に回転力を付与する水流を発生させるガイド部材を有する自動回転機構を設け、該自動回転機構に前記取付体の連結空部を連結したことを特徴とする請求項１乃至３のいずれかに記載の放水用ノズル装置。
【発明の詳細な説明】
【技術分野】
【０００１】
本発明は放水用ノズル装置の改良に関するものであり、詳しくは、複数の放水ノズルを用いた放水用ノズル装置において、ストレート放水を行った場合にも、より遠方まで放水可能で、且つ、広範囲の面積への放水が可能な放水用ノズル装置に関するものである。
【背景技術】
【０００２】
従来より存在する放水用ノズル装置として、消防機器としての放水ノズルが知られている。この放水ノズルは、ストレート放水（棒状放水）と噴霧放水を行うことが可能であった。ストレート放水は、遠方への放水に適しているが、放水面積の狭いものであった。他方、噴霧放水は、放水面積は広いものであるが、近距離での放水しかできない上、消火に適する水量を放水することができないものであった。
【０００３】
更に、近距離で消火面積の広い噴霧放水を行いたい場合であっても、火災現場で火面に対して接近することは、消火活動をする者にとって危険な行為であり、安全を優先するため、遠距離からの消火面積の狭いストレート放水に頼るのが現状であった。
【０００４】
そこで、ストレート放水並の放水距離を確保できると同時に、広い消火面積を確保できる放水ノズル装置が望まれ、特許文献１に示すような複数のノズル筒体を有する消火用ノズル装置が提供されてきた。特許文献１に示す消火用ノズル装置は、中央ノズル筒体及び中央ノズル筒体の周囲に複数の周囲ノズル筒体を突設したものである。
【０００５】
この消火用ノズル装置の特徴は、ノズル筒体の側面に外部の空気を内部に吸い込む空気吸込孔を穿設することにある。これにより、中央ノズル筒体から噴出された多量の気泡を含み親水性の増した中央の気液混合水流を中心に、複数の周囲ノズル筒体から噴出された多量の気泡を含む親水性の増した複数状の気液混合水流を合わせた合成水流により、消火に必要な増勢を確保でき、効果的な消火活動を得ようというものであった。
【０００６】
しかし、特許文献１に示される消火用ノズル装置におけるノズル筒体は、複数個（実施例では中央ノズル筒体と４個の周囲ノズル筒体）存在するが、気液混合水流であるため消火に必要な水量を確保することはできず、更に、水量を増加させると放水の反動が大きくなり消火活動に不都合が生じるものであった。
【先行技術文献】
【特許文献】
【０００７】
【特許文献１】特開２００９−２９１６９９号公開特許公報
【発明の概要】
【発明が解決しようとする課題】
【０００８】
そこで、上記課題を解決するため、本発明は、次の課題を解決しようとする。
第１の課題は、消火範囲を広くするため、複数の放水ノズルから放水する方式であっても、放水水圧のパワーを強くすることができ、遠距離への放水を可能とすることである。
第２の課題は、本来回転してしまう水流を、真っ直ぐに確保して、放水反動が少なく、且つ、遠くへ飛ばすことのできる放水用ノズル装置とすることである。
第３の課題は、個々の放水ノズルから放水されたストレート放水が束状で回転しながら真っ直ぐに飛び、放水先端において回転による拡散で、ストレート放水においても格段に広範囲に対して放水することが可能な放水用ノズル装置とすることである。
【課題を解決するための手段】
【０００９】
上記課題を解決するため、第１の発明は、放水用ノズル装置に次の手段を採用する。
第１に、給水側に給水ホースの連結具に連結される単一で大径の連結空部が設けられる。
第２に、放水側に複数で小径の分岐貫通孔が、複数の分岐貫通孔の水流通過面積の合計が前記給水ホース側の水流通過面積より小さく形成されて設けられる。
第３に、前記分岐貫通孔と前記連結空部の間に該連結空部より大径の溜め部屋とが形成された取付体と、複数の整流パイプからなる整流器を組み込んだ分岐パイプの先端に前記分岐貫通孔の径とほぼ同径かもしくはそれより小径の放水口が形成された噴射ノズルが連結された放水ノズルで構成される。
第４に、前記取付体における複数の分岐貫通孔の放水側に、対応する複数の放水ノズルを連結した。
【００１０】
第２の発明は、第１の発明に次の手段を付加した放水用ノズル装置とする。
第１に、上記複数の放水ノズルが、中央の１個の放水ノズルを中心に、周囲へ均等に５個の放水ノズルを配置して設けられる。
第２に、前記中央の放水ノズルを中心に、前記周囲の５個の放水ノズルが放水側に向かって開く角度をもって配置されたものである。
【００１１】
第３の発明は、第１の発明に次の手段を付加した放水用ノズル装置とする。
第１に、上記複数の放水ノズルが、中央の１個の放水ノズルを中心に、周囲へ均等に８個の放水ノズルを配置して設けられる。
第２に、前記中央の放水ノズルを中心に、前記周囲の８個の放水ノズルが放水側に向かって開く角度をもって配置されたものである。
【００１２】
第４の発明は、第１乃至第３の発明のいずれかに次の手段を付加した放水用ノズル装置とする。
第１に、上記給水ホースの連結具と上記取付体の連結空部の間に、供給水流の水圧で放水方向を軸として回転する回転羽根を有する回転体と該回転羽根に回転力を付与する水流を発生させるガイド部材を有する自動回転機構を設ける。
第２に、該自動回転機構に前記取付体の連結空部を連結した。
【発明の効果】
【００１３】
本発明は、第１に、水流通過面積の合計が給水ホース側の水流通過面積より小さく形成されて設けられる複数の分岐貫通孔と連結空部の間に該連結空部より大径の溜め部屋が形成された取付体を有することにより、水圧、パワーを強くすることのできる放水用ノズル装置となった。
【００１４】
第２に、複数の整流パイプからなる整流器を組み込んだ分岐パイプの先端に噴射ノズルが連結された放水ノズルで構成することにより、本来回転してしまう水流を、真っ直ぐにして放水反動を少なくすると同時に、遠くへ飛ばすことのできる放水用ノズル装置となった。
【００１５】
第４の発明の効果ではあるが、給水ホースの連結具と取付体の連結空部の間に、供給水流の水圧で放水方向を軸として回転する回転羽根を有する回転体と該回転羽根に回転力を付与する水流を発生させるガイド部材を有する自動回転機構を設け、該自動回転機構に前記取付体の連結空部を連結したものなので、放水は回転しながら真っ直ぐ飛び、放水先端において回転で、拡散され、ストレート放水においても格段に広範囲に対して放水することが可能な放水用ノズル装置となった。
【００１６】
更に、回転により消火用の放水のみならず水圧による洗浄や地面等の除染作業等に利用することも可能となった。
【図面の簡単な説明】
【００１７】
【図１】放水用ノズル装置の第１実施例を示す側面説明図
【図２】第１実施例での放水ノズルを連結した状態の取付体の断面説明図
【図３】同状態の正面説明図
【図４】第１実施例での取付体の背面説明図
【図５】放水ノズルの側面説明図
【図６】放水ノズルの背面説明図
【図７】放水ノズルの断面説明図
【図８】放水ノズルの分解斜視図
【図９】第１実施例における放水ノズルの取り付け状態を示す斜視図
【図１０】放水ノズル装置の第２実施例の側面説明図
【図１１】自動回転機構の構成部品を示す側面説明図
【図１２】自動回転機構の取り付け状態を示す断面説明図
【図１３】ガイド部材の背面図
【図１４】ガイド部材の中央縦断面図
【発明を実施するための形態】
【００１８】
以下、図面に従って、実施例と共に本発明の実施の形態について説明する。図１は、放水用ノズル装置の第１実施例を示す側面説明図である。図示されるように、第１実施例に係る放水用ノズル装置１は、取付体２と、複数の放水ノズル３と、取付体２に約４５度の角度で取り付けた把手７とで構成される。
【００１９】
取付体２は、図１及び図２に示されるように、内部に連結空部４と分岐貫通孔５と溜め部屋６とが一体的に形成されたものである。取付体２の内部に形成される連結空部４は、給水側に存在する給水ホースの連結具（図示されていない）に連結される単一で大径の空部である。尚、図１及び図２中符号１４は連結部である。
【００２０】
取付体２の内部で連結空部４と反対方向に形成される分岐貫通孔５は、図１中左方の放水側に複数個（図４に示されるように実施例では６個）設けられる小径の貫通孔である。６個の分岐貫通孔５の水流通過面積の合計は給水ホース側及び連結空部４の水流通過面積より小さく形成されて設けられる。分岐貫通孔５は、取付体２の放水側の端面中央に１個と、中央の１個の分岐貫通孔５を中心に、周囲へ均等に５個の分岐貫通孔５が設けられている。
【００２１】
第１実施例における取付体２の分岐貫通孔５は６個存在するものであるが、他実施例として分岐貫通孔５が９個存在する取付体２もある。その場合、中央に１個とその周囲へ均等に８個設けられるものである。勿論、分岐貫通孔５の個数は、複数であれば良く、これに限定されるものではない。
【００２２】
図２に示されるように、取付体２の連結空部４と分岐貫通孔５の間に連結空部４より大径の内径を有する溜め部屋６が形成されている。溜め部屋６は、給水ホースより連結部１４内部の連結空部４を経て供給された給水を一時的に溜めておき、分岐貫通孔５へ高い圧で安定した給水を行うための空間である。
【００２３】
図９に示されるように、分岐貫通孔５の放水側には、対応する複数（第１実施例では６個）の放水ノズル３が連結される。先に挙げた図示されていない他実施例では、９個の分岐貫通孔５に対応するため９個の放水ノズル３が連結される。
【００２４】
図７に示されるように、放水ノズル３は、複数本の整流パイプ８からなる整流器を組み込んだ分岐パイプ９と分岐貫通孔５の径とほぼ同径かもしくはそれより小径の放水口１０が形成された噴射ノズル１１とを連結具１２を用いて連結されたものである。実施例での整流パイプ８は、外径３ｍｍで内径２ｍｍ、長さ３０ｍｍのパイプであり、７本を用いて、内径９ｍｍの分岐パイプ９の内側に７本が差し込まれて固定されたものである。
【００２５】
放水ノズル３は、中央の１個の放水ノズル３を中心に、周囲へ均等に５個の放水ノズル３が配置されるよう予め形成されている分岐貫通孔５に装着される。その際、中央の放水ノズル３を中心に、前記周囲の５個の放水ノズル３が放水側に向かって開く角度、即ち、角度４．２度外方向に傾斜させて分岐貫通孔５に装着されている。
【００２６】
以下、第１実施例に係る放水用ノズル装置１の動作について説明する。図示しない、給水ホースより、放水用の水流が送られる。水流は取付体２の連結空部４より取付体２の内部に侵入し、取付体２の溜め部屋６を通過する。溜め部屋６は、連結空部４より大径の大きい部屋であるため、個々を通過した水流は、高い水圧を安定して放水側に送ることができる。
【００２７】
溜め部屋６を通過した水流は、複数、第１実施例では６個の分岐貫通孔５を通過して放水ノズル３に向かう。このとき、分岐貫通孔５の合計水流通過面積が給水ホース側の水流通過面積及び連結空部４や溜め部屋６の水流通過面積より小さいため水流の圧力は高められる。更に、放水ノズル３の入った水流は分岐パイプ９内に内蔵された整流パイプ８により整流され、水流の回転をなくす、即ち，直進性を高めるため放水距離の延長、及び放水反動の減少という効果を発揮する。
【００２８】
更に、放水ノズル３の先端部、即ち，噴射ノズルの放水口１０の水流通過面積は分岐貫通孔５の径とほぼ同等かもしくは小さく形成されているため、放水圧を下げることなく遠距離の放水を可能としている。
【００２９】
続いて、第２実施例に係る放水用ノズル装置２１について説明する。第２実施例に係る放水用ノズル装置２１は、図示されていない給水ホースの連結具と取付体２２の連結部２７、即ち、連結空部２４の間に、図１０乃至図１２に示される自動回転機構３０を設けたものである。
【００３０】
取付体２２は、内部に連結空部２４と分岐貫通孔（図示されていない）と溜め部屋２６とが一体的に形成されたものである点で第１実施例おける取付体２２と同様の構成を有するが、分岐貫通孔が取付体２２の溜め部屋２６から放水方向に突出形成された連結パイプ２５に形成されている。即ち、連結パイプ２５の中空部が分岐貫通孔となる。
【００３１】
図１０に示されるように、分岐貫通孔を有する連結パイプ２５には、放水ノズル２３が装着されている。ここにおける放水ノズル２３は、その構成及び取り付け状態とも第１実施例における放水ノズル３と同様である。
【００３２】
図１１に示されるように、取付体２２と連結される自動回転機構３０は、ハウジングケース３１とキャップ３２の内側の間に、軸受け３３、ワッシャー３４を介して、放水方向を軸として回転する回転軸３５の給水側に、回転のために供給水流の水圧を受ける回転羽根３６を形成した回転体３７を装着するとともに、回転羽根３６に回転力を付与する水流を発生させるためのガイド部材３８を内蔵したものである。
【００３３】
尚、図１２に示されるように、回転体３７の内部には、取付体２２に水流を送るための水路４５が形成されている。更に、回転体３７の取付体２２側の側面には、回転羽根３６に当接した水流を水路４５に導くための導水口４３が設けられており、回転体３７の給水ホース側端部には水路４５に向かう直通通過穴４４が設けられている。
【００３４】
取付体２２と自動回転機構３０との連結は、連結部２７の連結空部２４に自動回転機構３０における回転体３７の回転軸３５を挿入し、連結部２７の外周に設けられた固着用穴４１と回転軸３５に設けられた固着用穴４１とを一致させ両固着用穴４１にスナップピン４２を差し込むことにより行う。この結果、取付体２２と自動回転機構３０の回転軸３５は固定され、協働して回転するとともに、回転体３７の水路４５と取付体２２の連結空部２４は連結され、給水水流が通過することとなる。
【００３５】
図１３及び図１４に示されるように、ガイド部材３８は、ハウジングケース３１内の内径に合致する円形部材であって、中央に直通通過穴４４が形成された回転体３７の給水側部分が挿入される挿入穴３９及びその外側の３箇所に回転羽根３６に向かって角度４５度で水流を供給するガイド穴４０が形成されている。
【００３６】
尚、３箇所のガイド穴４０は、各々の位置が均等となるよう直通通過穴４４を中心として互いに１２０度離れた位置に形成されている。即ち、ガイド部材３８は、ガイド穴４０を用いてガイドベーンと同様の作用を行うものであって、回転羽根３６に向かう水流に回転のために適当な方向と速度を与える。
【００３７】
以下、第２実施例に係る放水用ノズル装置２１の動作について説明する。図示しない給水ホースより、放水用水流が送られる。給水ホースは自動回転機構３０のキャップ３２と連結されているので水流はハウジングケース３１内部に侵入し、ガイド部材３８に当接する。
【００３８】
そのときガイド部材３８の表面にはガイド穴４０が開けられているため、ガイド穴４０を通過した水流は、流れの方向と速度を変えられ、回転体３７の回転羽根３６にあたり、回転体３７を回転させる。自動回転機構３０による回転より速い回転を望む場合、手動により同じ回転方向への回転を付加することができる。回転に用いられた水流はハウジングケース３１内を流れ、導水口４３より水路４５に流れ込み、その後、取付体２２の連結空部４へ送られる。
【００３９】
その後の水流の流れ、及び本装置の動作は第１実施例と同様である。
【符号の説明】
【００４０】
１・・・・・・・・放水用ノズル装置
２・・・・・・・・取付体
３・・・・・・・・放水ノズル
４・・・・・・・・連結空部
５・・・・・・・・分岐貫通孔
６・・・・・・・・溜め部屋
７・・・・・・・・把手
８・・・・・・・・整流パイプ
９・・・・・・・・分岐パイプ
１０・・・・・・・放水口
１１・・・・・・・噴射ノズル
１２・・・・・・・連結具
１４・・・・・・・連結部
２１・・・・・・・防水用ノズル装置
２２・・・・・・・取付体
２３・・・・・・・放水ノズル
２４・・・・・・・連結空部
２５・・・・・・・連結パイプ
２６・・・・・・・溜め部屋
２７・・・・・・・連結部
３０・・・・・・・自動回転機構
３１・・・・・・・ハウジングケース
３２・・・・・・・キャップ
３３・・・・・・・軸受け
３４・・・・・・・ワッシャー
３５・・・・・・・回転軸
３６・・・・・・・回転羽根
３７・・・・・・・回転体
３８・・・・・・・ガイド部材
３９・・・・・・・挿入穴
４０・・・・・・・ガイド穴
４１・・・・・・・固着用穴
４２・・・・・・・スナップピン
４３・・・・・・・導水口
４４・・・・・・・直通通過穴
４５・・・・・・・水路
【図１】
2013252215.tif 000003
【図２】
2013252215.tif 000004
【図３】
2013252215.tif 000005
【図４】
2013252215.tif 000006
【図５】
2013252215.tif 000007
【図６】
2013252215.tif 000008
【図７】
2013252215.tif 000009
【図８】
2013252215.tif 000010
【図９】
2013252215.tif 000011
【図１０】
2013252215.tif 000012
【図１１】
2013252215.tif 000013
【図１２】
2013252215.tif 000014
【図１３】
2013252215.tif 000015
【図１４】
2013252215.tif 000016